(57)【特許請求の範囲】
【請求項１】
本体ケーシング内に設けられ、熱交換器を介して互いに交差する給気及び排気風路と、これら給気及び排気風路内のそれぞれに設けられ、それぞれの空気を給気・排気する給気・排気送風機と、を具備した空調換気扇において、前記給気及び排気風路の互いの風路がそれぞれ固定風路部と移動風路部とからなり、前記移動風路部が、前記固定風路部から切離されて所定の位置まで移動した時、該移動風路部の給気風路部が排気風路部として機能して室内空気を室外へ排出するように構成したことを特徴とする空調換気扇。
【請求項２】
前記移動風路部が、前記本体ケーシングの前後壁面に沿って前記給気及び排気送風機と共にスライドすることによって前記固定風路部から切離されて所定の位置まで移動するように構成されたことを特徴とする請求項１に記載の空調換気扇。
【請求項３】
前記移動風路部が、前記本体ケーシングの前後壁面に沿って前記給気及び排気送風機のファンケーシングのみを回転することによって前記固定風路部から切離されて所定の位置まで移動するように構成されたことを特徴とする請求項１に記載の空調換気扇。
【請求項４】
車輪部が、前記移動風路部の底面部に設けられ、前記本体ケーシングの床面を移動することを特徴とする請求項１から３までのいずれかに記載の空調換気扇。
【請求項５】
レールが、前記本体ケーシングの床面に設けられ、前記車輪部を案内することを特徴とする請求項４に記載の空調換気扇。
【請求項６】
前記移動風路部の底面の下方側に設けられ、該風路部を移動する移動手段と、この移動手段の移動方向の側面に設けられ、該側面の垂直方向に可変する弾性材からなる爪部と、前記本体ケーシングの床面に設けられ、前記移動手段の移動方向に長い長穴と、この長穴の長手方の側面に設けられ、前記爪部と係合する前切欠部と、を具備し、前記爪部が前記前切欠部に係合することにより、前記移動風路部が前記固定風路部に接合することを特徴とする請求項２に記載の空調換気扇。
【請求項７】
後切欠部が、前記長穴の長手方の同一側面に前記前切欠部から所定の位置に設けられ、前記爪部と係合することにより、前記移動風路部が前記固定風路部から所定の位置に切離されることを特徴とする請求項６に記載の空調換気扇。
【請求項８】
前記固定風路部及び前記移動風路部との互いの接合部がテーパ形状をなし、該テーパ形状の面で互いに接合させることにより、前記固定風路部と前記移動風路部とを接続させることを特徴とする請求項２に記載の空調換気扇。
【請求項９】
前記固定風路部及び前記移動風路部との互いの接合部のいずれか一方が凹形状をなし、他方が凸形状をなし、該凹凸形状を嵌合させることにより、前記固定風路部と前記移動風路部とを接続させることを特徴とする請求項２に記載の空調
【請求項１０】
制御部が、前記移動風路部が所定の位置に移動された時、前記給気送風機及び前記排気送風機を駆動することを特徴とする請求項１から３までのいずれかに記載の空調換気扇。
【請求項１１】
前記制御部が、前記給気送風機及び前記排気送風機の回転数を変化させるものにおいて、前記各送風機の回転数を上限値で回転させることを特徴とする請求項１０に記載の空調換気扇。
【請求項１２】
給気フィルタ及び排気フィルタが、前記固定風路部の切離部の開口に設けられたことを特徴とする請求項２に記載の空調換気扇。
【発明の詳細な説明】
【０００１】
【発明の属する技術分野】
本発明は、室内空気と室外空気との互いの熱エネルギーを交換しながら吸・排気する空調換気扇に関するものである。
【０００２】
【従来の技術】
図１４は、例えば特公昭６１−９２９９号公報に記載された従来の空調換気扇の構成図であり、この図において、１は本体ケーシング、１ａはこの本体ケーシング１の室外側壁面に設けられ、室外空気を吸い込む室外側吸込口、１ｂは本体ケーシング１の室外側壁面に設けられ、室内空気を吹出す室外側吹出口、２ａは本体ケーシング１の室内側壁面に設けられ、（外気）を吹出す室内側吹出口、２ｂは本体ケーシング１の室内側壁面に設けられ、室内空気を吸い込む室内側吸込口、Ａは室外側吸込口１ａと室内側吹出口２ａとを連通して室外空気を室内に給気する給気風路、Ｂは室外側吹出口１ｂと室内側吸込口２ｂとを連通して室内空気を室外に排気する排気風路であり、これらの風路Ａ，Ｂは熱交換器４を介して互いに交差し、該熱交換器４で互いの空気の保有熱を熱交換している。
【０００３】
また、５は給気風路内に設けられ、室外空気を室内に給気する給気送風機、６は排気風路内に設けられ、室内空気を室外に排気する排気送風機、７はこれら給気送風機５及び排気送風機６を駆動する電動機である。
【０００４】
次に、この動作について説明する。
まず、電源が入れられ、給気送風機５及び排気送風機６が駆動されると、給気送風機５の駆動によって室外側吸込口１ａから吸い込まれた室外空気が、熱交換器４を介して給気風路を通り、室内側吹出口２ａから室内へ吹出される一方、排気送風機６の駆動によって室内側吸込口２ｂから吸い込まれた室内空気は、熱交換器４を介して排気風路を通り、室外側吹出口１ｂから室外へ吹出される。
【０００５】
なお、この時、熱交換器４で室外空気と室内空気とは熱交換され、互いに保有する温・湿度の授受を行うので、冬場の温・湿度が低い室外空気は温・湿度が高い室内空気によって、温・湿度共に上げられ、その後給気送風機５の送風容量に対応した新鮮な空気が室内に給気されると共に、この給気送風量とほぼ同一の汚れた室内空気が排気送風機６によって室外に排気される。
【０００６】
また逆に、夏場の温・湿度が高い室外空気は温・湿度が低い室内空気によって、温・湿度共に下げられ、その後給気送風機５の送風容量に対応した新鮮な空気が室内に給気されると共に、この給気送風量とほぼ同一の汚れた室内空気が排気送風機６によって室外に排気される。
【０００７】
このように、従来の空調換気扇では、給気送風機５又は排気送風機６の送風容量のいずれか一方に対応した空気量のみが順次置換され、室内空気を換気するものであった。
【０００８】
【発明が解決しようとする課題】
以上説明したように、従来の空調換気扇では、給気送風機又は排気送風機のいずれか一方の送風容量の対応した空気量のみが順次置換され、室内空気を換気するため、例えば、タバコ等で室内空気が急激に汚れも、スピーデイに換気することができないという問題点があった。
【０００９】
この発明は係る問題点を解決するためになされたもので、室内空気がタバコ等で急激に汚れても、スピーデイに排出して室内空気をきれいにする空調換気扇を得ることを目的とする。
【００１０】
また、風路切換操作が簡単に行える使い勝手の良い空調換気扇を得ることを目的とする。
【００１１】
また、風路切換を行った時、送風量が自動的に切換わり、換気スピードが向上した使い勝手が良く、信頼性の高い空調換気扇を得ることを目的とする。
【００１２】
【課題を解決するための手段】
本発明の空調換気扇は、本体ケーシング内に設けられ、熱交換器を介して互いに交差する給気及び排気風路と、これら給気及び排気風路内のそれぞれに設けられ、それぞれの空気を給気・排気する給気・排気送風機と、を具備した空調換気扇において、前記給気及び排気風路の互いの風路がそれぞれ固定風路部と移動風路部とからなり、前記移動風路部が、前記固定風路部から切離されて所定の位置まで移動した時、該移動風路部の給気風路部が排気風路部として機能して室内空気を室外へ排出するように構成したものである。
【００１３】
また、前記移動風路部が、前記本体ケーシングの前後壁面に沿って前記給気及び排気送風機と共にスライドすることによって前記固定風路部から切離されて所定の位置まで移動するように構成されたものである。
【００１４】
また、前記移動風路部が、前記本体ケーシングの前後壁面に沿って前記給気及び排気送風機のファンケーシングのみを回転することによって前記固定風路部から切離されて所定の位置まで移動するように構成されたものである。
【００１５】
また、車輪部が、前記移動風路部の底面部に設けられ、前記本体ケーシングの床面を移動するものである。
【００１６】
また、レールが、前記本体ケーシングの床面に設けられ、前記車輪部を案内するものである。
【００１７】
また、前記移動風路部の底面の下方側に設けられ、該風路部を移動する移動手段と、この移動手段の移動方向の側面に設けられ、該側面の垂直方向に可変する弾性材からなる爪部と、前記本体ケーシングの床面に設けられ、前記移動手段の移動方向に長い長穴と、この長穴の長手方の側面に設けられ、前記爪部と係合する前切欠部と、を具備し、前記爪部が前記前切欠部に係合することにより、前記移動風路部が前記固定風路部に接合するものである。
【００１８】
また、後切欠部が、前記長穴の長手方の同一側面に前記前切欠部から所定の位置に設けられ、前記爪部と係合することにより、前記移動風路部が前記固定風路部から所定の位置に切離されるものである。
【００１９】
また、前記固定風路部及び前記移動風路部との互いの接合部がテーパ形状をなし、該テーパ形状の面で互いに接合させることにより、前記固定風路部と前記移動風路部とを接続させるものである。
【００２０】
また、前記固定風路部及び前記移動風路部との互いの接合部のいずれか一方が凹形状をなし、他方が凸形状をなし、該凹凸形状を嵌合させることにより、前記固定風路部と前記移動風路部とを接続させるものである。
【００２１】
また、制御部が、前記移動風路部が所定の位置に移動された時、前記給気送風機及び前記排気送風機を駆動するものである。
【００２２】
また、前記制御部が、前記給気送風機及び前記排気送風機の回転数を変化させるものにおいて、前記各送風機の回転数を上限値で回転させるものである。
【００２３】
また、給気フィルタ及び排気フィルタが、前記固定風路部の切離部の開口に設けられたものである。
【００２４】
【発明の実施の形態】
実施の形態１．
図１は、この発明の実施の形態１における空調換気扇の風路切換前の断面図であり、図２は風路切換後の断面図である。
これらの図において、１は本体ケーシング、１ａはこの本体ケーシング１の室外側壁面（背面）に設けられ、室外空気を吸い込む室外側吸込口、１ｂは本体ケーシング１の室外側壁面（背面）に設けられ、室内空気を吹出す室外側吹出口、２ａは本体ケーシング１の室内側壁面に設けられ、（外気）を吹出す室内側吹出口、２ｂは本体ケーシング１の室内側壁面に設けられ、室内空気を吸い込む室内側吸込口、Ａは室外側吸込口１ａと室内側吹出口２ａとを連通して室外空気を室内に給気する給気風路、Ｂは室外側吹出口１ｂと室内側吸込口２ｂとを連通して室内空気を室外に排気する排気風路であり、これらの風路Ａ，Ｂは熱交換器４を介して互いに交差し、該熱交換器４で互いの空気の温・湿度を交換している。
【００２５】
また、５は給気風路内に設けられ、室外空気を室内に給気する給気送風機、６は排気風路内に設けられ、室内空気を室外に排気する排気送風機、７はこれら給気送風機５及び排気送風機６を駆動する電動機で、１１は給気風路内に設けられ、異物等を除去する給気フィルター、１２は排気風路内に設けられ、異物等を除去する排気フィルターである。
【００２６】
また、前述した給気風路Ａ，排気風路Ｂはいずれも固定風路部３と移動風路部９、即ち、給気風路Ａは固定給気風路部３ａと移動給気風路部９ａとからなり、排気風路Ｂは固定排気風路部３ｂと移動排気風路部９ｂとからなると共に、固定風路部３は熱交換器４を内蔵し、移動風路部９は送風機５，６を内蔵し、かつ本体ケーシング１の前後壁面に沿って移動する。
【００２７】
また、この移動風路部９の移動給気風路部９ａは、移動前に、本体ケーシングの室外側吸込口１ａと対向して連通した外気連通口９ｃを有すると共に、移動後に、本体ケーシング床又は天井等に設けられた第２の室内側吸込口１５と連通する室内連通口９ｄを有して室内と連通する構造になっている。
なお、移動給気風路部９ａの外気連通口９ｃ及び室内連通口９ｄは、図１に示すように、移動給気風路部９ａの吸込チャンバー室に設け、その吸込チャンバー室に設けても良いし、吸込チャンバー室を設けず、図５，６に示されるように、移動給気風路部９ａに直接設けても良い。
【００２８】
また、本体ケーシング１は、移動風路部９が移動できるようにするための空間Ｈを有し、かつ、その本体ケーシングの床又は天井には室内空気を吸込むための第２の室内側吸込口１５を有している。
【００２９】
次に、この動作について説明する。
まず、移動風路部９が移動されずに、固定風路部３と接続された状態で電源が入れられると、図１、３に示すように、給気送風機５の駆動によって室外空気が室外側吸込口１ａから吸い込まれ、熱交換器４を介して給気風路Ａを通り、室内空気と熱交換され、室内側吹出口２ａから室内へ吹出される一方、排気送風機６の駆動によって室内空気は室内側吸込口２ｂから吸い込まれ、熱交換器４を介して排気風路Ｂを通り、室外空気と熱交換され、室外側吹出口１ｂから室外へ吹出される。
【００３０】
即ち、室外空気と室内空気とは熱交換器４で熱交換され、互いに保有する温・湿度の授受を行いながら換気されるので、特に冬場においては、温・湿度が低い室外空気は温・湿度が高い室内空気によって、温・湿度共に上げられ、その後給気送風機５によって室内に給気される。一方、室内空気は温・湿度共に下げられ、排気送風機６によって室外に排気される。
【００３１】
また逆に、夏場においては、温・湿度が高い室外空気は温・湿度が低い室内空気によって、温・湿度共に下げられ、その後給気送風機５によって室内に給気される。一方、室内空気は温・湿度共に上げられ、排気送風機６によって室外に排気され、同一送風容量の給気送風機５又は排気送風機６に対応した空気量が順次置換され、室内空気を換気する。
【００３２】
次に、移動風路部９が移動手段（例えば、移動用電動機構、或いは、後述する図９のつまみ部２３とスリット穴２１の組み合わせ等）によって本体ケーシング１の前後壁面に沿って左右方向（この場合右方向）に移動され、固定風路部３から切り離されると、図２、４に示すように、本体ケーシングの室外側吸込口１ａと対向して連通した外気連通口９ｃが本体ケーシング１の背面によって塞がれると共に、今まで（即ち、移動前まで）本体ケーシング１の壁面（床又は天井等）で塞がれていた室内連通口９ｄが本体ケーシング１の床又は天井等に設けられた第２の室内側吸込口１５と連通し、室内と連絡され、その結果、移動給気風路９ａ及び移動排気風路９ｂ吹出口が、固定風路部３と移動風路部９の切離し部を介して室外側吸込口１ａと室外側吹出口１ｂとに連絡される。
【００３３】
次に、この状態で電源が入れられ、給気送風機５及び排気送風機６が駆動されると、第２の室内側吸込口１５及び室内側吸込口２ａから吸い込まれた室内空気は移動風路部９の切離し部を介して室外側吸込口１ａ及び室外側吹出口１ｂとから室外に吹出される。
即ち、移動前まで給気風路として機能していた移動給気風路９ａが排気風路として機能するようになる。
【００３４】
なお、この時、固定風路部３の固定給・排気風路部３ａ、３ｂの開口に給・排フィルター１１，１２をそれぞれ設けると、フィルターが抵抗物体となり、室内空気が固定風路部３へ流れなくなるため、室内側吸込口１５及び室内側吸込口２ａから吸い込まれた室内空気の大部分は移動風路部９の切離し部を介して室外側吸込口１ａ及び室外側吹出口１ｂからスムースに室外に吹出されることになる。
【００３５】
以上説明したように、本体ケーシング内に設けられ、熱交換器を介して互いに交差する給気及び排気風路と、これら給気及び排気風路内のそれぞれに設けられ、それぞれの空気を給気・排気する給気・排気送風機と、を具備した空調換気扇において、前記給気及び排気風路がそれぞれ固定風路部と移動風路部からなり、前記移動風路部が前記固定風路部から切離されて所定の位置まで移動した時、該移動風路部の給気風路部が排気風路部として機能して室内空気を室外へ排出するので、移動排気風路部と共に移動給気風路部が室内空気を室外へ排出するようになるため、室内空気がタバコ等で急激に汚れても、スピーデイに排出して室内空気をきれいする空調換気扇が得られる。
【００３６】
なお、この時、前述したように、移動風路部が本体ケーシングの前後壁面に沿って給気・排気送風機と共にスライドすることによって前記固定風路部から切離されて所定の位置まで移動するように構成すると、本体ケーシングの前後の幅を広くすることなく、移動風路部の給気風路部が排気風路部として機能して室内空気を室外へ排出するようになるため、薄型タイプの排気量が向上した空調換気扇が得られる。
【００３７】
実施の形態２．
この実施の形態２においては、図５，６に示すように、ファンケーシングである移動通風路９を本体ケーシング１の前後壁面間で回転させることにより、移動風路部９の移動給気風路部９ａを排気風路部として機能させるものであり、なお、このものは、移動通風路９に本体ケーシング１の室外側吸込口１ａと対向して連通した外気連通口９ｃを有すると共に、回転移動後に、本体ケーシング１の天井等に設けられた第２の室内側吸込口１５と連通する室内連通口９ｄとを有する構造になっており、また、本体ケーシング１には、移動風路部９が回転できるための空間Ｈを有し、かつ、その本体ケーシングの天井には室内空気を吸込むための第２の室内側吸込口１５を有し、かつ、本体ケーシング１内には室内連通口９ｄを閉じるためのケーシング塞ぎ板１９を有する構造になっている。
なお、その他の構成は実施の形態１とほぼ同じである。
【００３８】
次に、この動作について説明する。
まず、ファンケーシングである移動風路部９が回転されずに、固定風路部３と接続された状態で電源が入れられると、図５に示すように、給気送風機５の駆動によって室外空気が室外側吸込口１ａから吸い込まれ、熱交換器４を介して給気風路を通り、室内空気と熱交換され、室内側吹出口２ａから室内へ吹出される一方、排気送風機６の駆動によって室内空気は室内側吸込口２ｂから吸い込まれ、熱交換器４を介して排気風路を通り、室外空気と熱交換され、室外側吹出口１ｂから室外へ吹出される。
なお、この時、移動給気風路９ａの室内連通口９ｄはケーシング塞ぎ板１９で塞がれているため、室内連通口９ｄから室内空気は吸引されない。
【００３９】
次に、ファンケーシングである移動風路部９のみが本体ケーシング１の前後壁面間で回転され、固定風路部３から切り離されると、図６に示すように、固定風路部３の接続風路開口部は移動風路部９の特にファンケーシング壁面で塞がれ、本体ケーシング１の室外側吸込口１ａと対向して連通していた外気連通口９ｃも本体ケーシング１の背面（後面）によってほぼ塞がれ、今まで（即ち、回転前まで）本体ケーシング１の塞ぎ板１９で塞がれていた室内連通口９ｄが本体ケーシング１の天井に設けられた第２の室内側吸込口１５と連通し、室内と連絡され、その結果、移動給気風路９ａ及び移動排気風路９ｂの吹出口が本体ケーシング１のバイパス空間を介して室外側吸込口１ａと室外側吹出口１ｂとに連絡される。
【００４０】
次に、この状態で電源が入れられ、給気送風機５及び排気送風機６が駆動されると、第２の室内側吸込口１５及び室内側吸込口２ａから吸い込まれた室内空気は回転後のファンケーシング吹出口（移動風路部の吹出口）を介して室外側吸込口１ａ及び室外側吹出口１ｂとから室外に吹出される。
即ち、回転前まで給気風路として機能していた移動給気風路９ａが排気風路として機能するようになる。
【００４１】
以上説明したように、ファンケーシングである移動風路部のみを本体ケーシングの前後壁面間で回転することによって前記固定風路部から切離されて所定の位置まで移動するように構成して、移動給気風路を排気風路として機能させるようにしたので、本体ケーシングの前後の幅を広くすることなく、また、移動風路部内の給・排気送風機を動かすことなく、給気風路部を排気風路部として機能させて室内空気を室外へ排出するようになるため、更に使い勝手が良く、薄型タイプの排気風量が向上した空調換気扇が得られる。
【００４２】
実施の形態３．
この実施の形態３においては、実施の形態１に、図７、８に示すように、移動風路部９の底面部に車輪部２０を追加して設けると共に、本体ケーシング１の床面に車輪部２０を支えて案内するレール２１を追加して設けたものである。
【００４３】
次に、この動作について説明する。
まず、移動風路部９の底面部に車輪部２０を設けるだけで、移動風路部９の底面と本体ケーシングの床面との摩擦抵抗が軽減されるため、移動風路部９を移動する時に、簡単に移動できるようになるが、更に、この車輪部２０を案内するレール２１を本体ケーシング１の床面に設けると、移動風路部９を固定風路部３から切離し、その後再び移動して固定風路部３と接続するような時にも、固定風路部３に対して常にレール２１を介して位置決めがなされているので、確実に接続されるようになる。
【００４４】
以上説明したように、移動風路部の底面部に車輪部を設けると、移動時の風路部と本体ケーシングの床面との摩擦抵抗を軽減するため、簡単にスムースに移動できる空調換気扇が得られる。
【００４５】
また更に、車輪部を案内するレールを本体ケーシングの床面に設けると、レールが固定風路部に対して移動風路部の位置を決めるため、スムースに移動ができ、繰り返し確実に風路が接続される信頼性の高い空調換気扇が得られる。
【００４６】
なお、上記実施例では、摩擦抵抗を減らすのに車輪２１を用いたが、摩擦抵抗の小さい材料で一体成形するか、もしくは潤滑剤を用いても良い。
【００４７】
実施の形態４．
この実施の形態４においては、実施の形態１に、図９、１０に示すように、移動風路部９の底面の下方側に設けられ、該移動風路部を移動する移動手段としてのつまみ部（突起部）２３と、このつまみ部２３の移動方向の側面に設けられ、該側面の垂直方向に可変するプラスチック等の弾性材からなる爪部２３ａと、本体ケーシング１の床面に設けられ、つまみ部（突起部）２３が挿入される左右（移動）方向に長いスリット穴２４、即ち、長穴２４と、この長穴２４の長手方の同一側面に所定位置に設けられ、爪部２３ａと係合する前切欠部２４ａ及び前切欠部２４ｂと、を追加したものである。
【００４８】
次に、この動作について図１０，１１を用いて説明する。
まず、移動風路部９が固定風路部３に接続された状態では、図１０に示すように、つまみ部２３の爪部２３ａがスリット穴２４の前切欠部２４ａに挿入された状態となる。
【００４９】
次に、移動風路部９が固定風路部３から切離され、移動されると、図１１に示すように、爪部２３ａが押され、爪部２３ａの高さを低くして切欠部２４ａから解除し、つまみ部２３がスリット穴２４に沿って移動されて所定の位置に来ると、即ち、移動風路部９が移動されて所定の位置に来ると、爪部２３ａの押え付け力を解除し、爪部２３ａのバネ力によってつまみ部２３がスリット穴２４に固定される。
【００５０】
なお、この時、移動風路部９の固定状態を更に確実にするために、爪部２３ａが所定の位置に設けられた後切欠部２４ｂで解除され、該後切欠部２４ｂに挿入されるようにすると、移動風路部９が更に安定した状態で固定される。
【００５１】
その後再び、移動風路部９と固定風路部３とを接続する時は、爪部２３ａの押え付けながら、つまみ部２３を移動し、爪部２３ａの押え付け力を前切欠部２４ａで解除して、爪部２３ａを前切欠部２４ａに挿入する。
【００５２】
以上説明したように、移動風路部の底面の下方側に設けられ、該風路部を移動する移動手段と、この移動手段の移動方向の側面に設けられ、該側面の垂直方向に可変する弾性材からなる爪部と、本体ケーシング１の床面に設けられ、前記移動手段の移動方向に長い長穴と、この長穴の長手方の側面に設けられ、前記爪部と係合する前切欠部と、を具備し、移動風路部と固定風路部との接合位置関係を規制したので、移動風路部と固定風路部との接合が確実に行なわれ、接合時の空気漏れが防止された信頼性の高い空調換気扇が得られる。
【００５３】
また、後切欠部が、前記長穴の長手方の同一側面に前記前切欠部から所定の位置に設けられ、前記爪部と係合して移動風路部と固定風路部との切離し距離を規制したので、移動風路部と固定風路部との切離し距離が適性に確保されるため、切離し時の風路未確保が防止された信頼性の高い空調換気扇が得られる。
【００５４】
実施の形態５．
この実施の形態５においては、実施の形態１から４における固定風路部３と移動風路部９との接合構造を、図１２、１３に示すように、互いの接合面をテーパ形状にして接合したり、或いは互いに嵌合する形状にして接合したりしたものである。
【００５５】
なお、このように、固定風路部３及び移動風路部９との互いの接合部のいずれか一方が凹形状をなし、他方が凸形状をなすようにして、該凹凸形状を嵌合させることにより、固定風路部３と移動風路部９とを接続させると、固定風路部３と移動風路部９との接合部からの給気及び排気空気の漏れが少くなるため、給・排気を確実に行う信頼性の高い空調換気扇が得られる。
【００５６】
特に、接合部をテーパ形状にして接合するようにすると、固定風路部と移動風路部との接合時に、互いの位置が若干ズレても、スムースに接合するようになるため、空気漏れを防止して給・排気を確実に行う使い勝手の良い空調換気扇が得られる。
【００５７】
実施の形態６．
この実施の形態６においては、実施の形態１から４において、移動風路部９を固定風路部３から切離し、移動風路部９が移動された所定の位置、即ち、移動給気風路９ａとして機能していた風路が排気風路として機能するような位置にセットされた時、位置確認機構としてのスイッチ等からの信号に基づいて制御部（図示せず）が給気送風機５及び排気送風機６を駆動するものである。
【００５８】
なお、このようにすると、給・排気するための運転スイッチを作動させることなく、給気送風機５及び排気送風機６を駆動して排気できるようになるため、運転スイッチ作動有無に起因するトラブルが防止できると共に、使い勝手の良い空調換気扇が得られる。
【００５９】
また、給気送風機５及び排気送風機６の送風量を強、中、弱のノッチで制御し、即ち、送風機の回転数を変え、送風量を変化させるものにおいては、給気風路として機能していた移動給気風路９ａが排気風路として機能するような位置にセットされた時に、制御部（図示せず）が各送風機５，６の回転数を上限値で回転させるようにすると、給・排気送風機が室内空気をその最高風量で排気するようになるため、スピーデイに汚れた室内空気を換気する使い勝手の良い空調換気扇が得られる。
【００６０】
【発明の効果】
以上説明したように本願発明によれば、本体ケーシング内に設けられ、熱交換器を介して互いに交差する給気及び排気風路と、これら給気及び排気風路内のそれぞれに設けられ、それぞれの空気を給気・排気する給気・排気送風機と、を具備した空調換気扇において、前記給気及び排気風路の互いの風路がそれぞれ固定風路部と移動風路部とからなり、前記移動風路部が、前記固定風路部から切離されて所定の位置まで移動した時、該移動風路部の給気風路部が排気風路部として機能して室内空気を室外へ排出するように構成したので、移動排気風路部と共に移動給気風路部が室内空気を室外へ排出するようになるため、室内空気がタバコ等で急激に汚れても、スピーデイに排出して室内空気をきれいする排気風量が向上した空調換気扇が得られる。。
【００６１】
また、前記移動風路部が、前記本体ケーシングの前後壁面に沿って前記給気及び排気送風機と共にスライドすることによって前記固定風路部から切離されて所定の位置まで移動するように構成されたので、本体ケーシングの前後の幅（奥行き）を広くすることなく、給気風路部を排気風路部として機能させて室内空気を室外へ排出するようになるため、薄型タイプの排気風量が向上した空調換気扇が得られる。
【００６２】
また、前記移動風路部が、前記本体ケーシングの前後壁面に沿って前記給気及び排気送風機のファンケーシングのみを回転することによって前記固定風路部から切離されて所定の位置まで移動するように構成されたので、本体ケーシングの前後の幅を広くすることなく、また、移動風路部内の給・排気送風機を動かすことなく、給気風路部を排気風路部として機能させて室内空気を室外へ排出するようになるため、更に使い勝手が良く、薄型タイプの排気風量が向上した空調換気扇が得られる。
【００６３】
また、車輪部が、前記移動風路部の底面部に設けられ、前記本体ケーシングの床面を移動するので、移動時の風路部と本体ケーシングの床面との摩擦抵抗が軽減されるため、簡単にスムースに移動できる使い勝手の良い空調換気扇が得られる。
【００６４】
また、レールが、前記本体ケーシングの床面に設けられ、前記車輪部を案内するので、レールが固定風路部に対して移動風路部の位置を決めるため、スムースに移動ができ、繰り返し確実に風路が確保される信頼性の高い空調換気扇が得られる。
【００６５】
また、前記移動風路部の底面の下方側に設けられ、該風路部を移動する移動手段と、この移動手段の移動方向の側面に設けられ、該側面の垂直方向に可変する弾性材からなる爪部と、前記本体ケーシングの床面に設けられ、前記移動手段の移動方向に長い長穴と、この長穴の長手方の側面に設けられ、前記爪部と係合する前切欠部と、を具備し、前記爪部が前記前切欠部に係合することにより、前記移動風路部が前記固定風路部に接合するので、移動風路部と固定風路部との接合が確実に行なわれ、接合時の空気漏れが防止された信頼性の高い空調換気扇が得られる。
【００６６】
また、後切欠部が、前記長穴の長手方の同一側面に前記前切欠部から所定の位置に設けられ、前記爪部と係合することにより、前記移動風路部が前記固定風路部から所定の位置に切離されるので、移動風路部と固定風路部との切離し距離が適性に確保されるため、切離し時の風路未確保が防止された信頼性の高い空調換気扇が得られる。
【００６７】
また、前記固定風路部及び前記移動風路部との互いの接合部がテーパ形状をなし、該テーパ形状の面で互いに接合させることにより、前記固定風路部と前記移動風路部とを接続させるので、互いの位置が若干ズレても、スムースに接合するようになるため、空気漏れを防止して給・排気を確実に行う使い勝手の良い空調換気扇が得られる。
【００６８】
また、前記固定風路部及び前記移動風路部との互いの接合部のいずれか一方が凹形状をなし、他方が凸形状をなし、該凹凸形状を嵌合させることにより、前記固定風路部と前記移動風路部とを接続させるので、接合部からの給気及び排気空気の漏れが少くなるため、給・排気を確実に行う信頼性の高い空調換気扇が得られる。
【００６９】
また、制御部が、前記移動風路部が所定の位置に移動された時、前記給気送風機及び前記排気送風機を駆動するので、給・排気するための運転スイッチを作動させることなく、給気・排気送風機が駆動して排気するようになるため、運転スイッチ作動有無に起因するトラブルを防止した使い勝手が良く、信頼性の高い空調換気扇が得られる。
【００７０】
また、前記制御部が、前記給気送風機及び前記排気送風機の回転数を変化させるものにおいて、前記各送風機の回転数を上限値で回転させるので、給・排気送風機が室内空気をその最高風量で排気するようになるため、スピーデイに汚れた室内空気を換気する使い勝手の良い空調換気扇が得られる。
【００７１】
また、給気フィルタ及び排気フィルタが、前記固定風路部の切離部の開口に設けられたので、フィルターが抵抗物体となり、室内空気が固定風路部へ流れなくなるため、室内空気がスムースに室外に吹出される信頼性の高い空調換気扇が得られる。
【図面の簡単な説明】
【図１】  この発明の実施の形態１における空調換気扇の風路切換前の断面図である。
【図２】  この発明の実施の形態１における空調換気扇の風路切換後の断面図である。
【図３】  この発明の実施の形態１における空調換気扇の風路切換前の詳細斜視図である。
【図４】  この発明の実施の形態１における空調換気扇の風路切換後の詳細斜視図である。
【図５】  この発明の実施の形態２における空調換気扇の風路切換前の断面図である。
【図６】  この発明の実施の形態２における空調換気扇の風路切換後の断面図である。
【図７】  この発明の実施の形態３における空調換気扇のレール部の概略斜視図である。
【図８】  この発明の実施の形態３における空調換気扇のレール部の詳細構成図である。
【図９】  この発明の実施の形態４における空調換気扇の移動機構の概略構成図である。
【図１０】  この発明の実施の形態４における空調換気扇の移動機構の部分構成図である。
【図１１】  この発明の実施の形態４における空調換気扇の移動機構の動作図である。
【図１２】  この発明の実施の形態５におけるテーパ形状接合部の断面空図である。
【図１３】  この発明の実施の形態５における嵌合形状接合部の断面空図である。
【図１４】  従来の空調換気扇の構成図である。
【符号の説明】
１  本体ケーシング、  １ａ  室外側吸込口、  １ｂ室外側吹出口、  ２ａ  室内側吹出口、  ２ｂ  室内側吸込口、  ３  固定風路、  ３ａ  固定給気風路部、  ３ｂ  固定排気風路部、  ４  熱交換器、  ５  給気送風機、  ６  排気送風機、７  電動機、  ９  移動風路、  ９ａ  移動給気風路部、  ９ｂ  移動排気風路部、  ９ｃ  室外連通口、  ９ｄ  室内連通口、  １１  給気フィルター、  １２  排気フィルター、  １５  第２の室内側吸込口、  １９  塞ぎ板、  ２０車輪、  ２１  レール、  ２３  つまみ部、  ２３ａ  爪、  ２４  長穴、  ２４ａ  前切欠部、  ２４ｂ  後切欠部。
【図１】
0003707340.tif 000002
【図２】
0003707340.tif 000003
【図３】
0003707340.tif 000004
【図４】
0003707340.tif 000005
【図５】
0003707340.tif 000006
【図６】
0003707340.tif 000007
【図７】
0003707340.tif 000008
【図８】
0003707340.tif 000009
【図９】
0003707340.tif 000010
【図１０】
0003707340.tif 000011
【図１１】
0003707340.tif 000012
【図１２】
0003707340.tif 000013
【図１３】
0003707340.tif 000014
【図１４】
0003707340.tif 000015